(57)【要約】【課題】ノズル部材のノズル外筒とステムに嵌着する連結筒の間に、取付キャップに立設した案内筒を嵌挿するようにしたノズル部材の上下動案内部材を具えたスプレーノズルを提供すること。【解決手段】ノズル部材を、取付キャップに装着したポンプのステムに取着したスプレーノズルであって、取付キャップは、ポンプ取付部材の頂壁に案内筒を立設しており、ノズル部材は、ノズルヘッドと押圧プレートを連設したノズル外筒と、ポンプのステムに嵌着する連結筒とからなり、ポンプ取付部材の案内筒は、ノズル外筒と連結筒との間に挿入されていることを特徴とする。【選択図】　　　　図１
2004041899.tif 000002
【特許請求の範囲】
【請求項１】
ノズル部材を、取付キャップに装着したポンプのステムに取着したスプレーノズルであって、
取付キャップは、ポンプ取付部材の頂壁に案内筒を立設しており、
ノズル部材は、ノズルヘッドと押圧プレートを連設したノズル外筒と、ポンプのステムに嵌着する連結筒とからなり、
ポンプ取付部材の案内筒は、ノズル外筒と連結筒との間に挿入されていることを特徴とするスプレーノズル。
【請求項２】
押圧プレートが、ノズル外筒の下端から延設されていることを特徴とする請求項１記載のスプレーノズル。
【請求項３】
取付キャップは、外周縁に沿って外側案内筒を立設しており、押圧プレートは、外側案内筒に係合する案内リングを垂設していることを特徴とする請求項１記載のスプレーノズル。
【発明の詳細な説明】
【０００１】
【発明の属する技術分野】
本発明は、スプレーノズル、とくにノズルの押圧プレートの上下動案内部材に関する。
【０００２】
【従来の技術】
エアゾールボトルのステムにノズル部材を取着したスプレーノズルにおいて、ノズル部材（ブッシュ要素２）の下端に、下面にスカート（５）を垂設したフランジ（６、７）を連接し、スカート（５）によって、エアゾールボトル（１）の口部外周部（弁３）を被うようにしたスプレーノズルは、従来より知られている（例えば特公平６−１３０５３号公報参照）。
【０００３】
また、容器に装着されたポンプのステムにノズル部材を取着したスプレーノズルにおいて、ノズル部材（吐出接続部材２０）の下端に、下面にケーシング（１８）を垂設した押圧プレート（１９）を連接し、ケーシング（１８）をポンプの取付キャツプの上面に立設した周辺ケーシング（１７）を被うようにしたスプレーノズルも従来より知られている（例えば特公平６−６２１６９号公報参照）。
【０００４】
【発明が解決しようとする課題】
しかしながら、フランジ、或いは押圧プレートの押下げ操作にあたって、使用者は、斜め押し、すなわちノズル部材の押下げ方向をボトルのステムやポンプの軸線に対して傾斜する方向に押下げる場合がある。
そのときには、上記特公平６−１３０５３号公報記載のスプレーノズルでは、フランジ下面のスカートとボトルの口部外周との間隙が大きいので、斜め押しを防ぐことができなかった。
そのため、斜め押しした場合に、ステム先端とノズルの取付部との間に間隙が生じ、そこから内容物が洩れるという問題があった。
【０００５】
また、特公平６−６２１６９号公報記載のスプレーノズルでは、押圧プレート下面のケーシングと、取付キャップの周辺ケーシングとの間隙が大きいので、上記従来のものと同様に、斜め押しを防ぐことができなかった。
そのため、斜め押しした場合は、ポンプのステム、ピストン部材を傾斜させるように作用し、上下動にあたって、ピストン部材がスムーズに上下動できなくなるという問題があった。
【０００６】
本発明は、上記の問題点を解決することを課題とし、ノズル部材のノズル外筒とステムに嵌着する連結筒の間に、取付キャップに立設した案内筒を嵌挿するようにしたノズル部材の上下動案内部材を具えたスプレーノズルを提供することを目的とする。
【０００７】
【課題を解決するための手段】
本発明は、上記の課題を解決するため、スプレーノズルとして、ノズル部材を、取付キャップに装着したポンプのステムに取着したスプレーノズルであって、取付キャップは、ポンプ取付部材の頂壁に案内筒を立設しており、ノズル部材は、ノズルヘッドと押圧プレートを連設したノズル外筒と、ポンプのステムに嵌着する連結筒とからなり、ポンプ取付部材の案内筒は、ノズル外筒と連結筒との間に挿入されていることを特徴とする構成を採用する。
【０００８】
具体的実施形態として、押圧プレートが、ノズル外筒の下端から延設されていることを特徴とする構成を採用する。
【０００９】
上下動案内部材の別実施形態として、取付キャップは、外周縁に沿って外側案内筒を立設しており、押圧プレートは、外側案内筒に係合する案内リングを垂設していることを特徴とする構成を採用する。
【００１０】
【発明の実施の形態】
次に、本発明スプレーノズルの実施形態について、図面を参照して説明する。図１において、Ａは取付キャップ、Ｂは取付キャップＡに装着されたポンプ、Ｃはノズル部材、ＡＯ　は点鼻薬その他薬用液が充填された容器である。
【００１１】
図１に示すように、取付キャップＡは、側周壁１と上壁２とを具えており、側周壁１の内周には、容器ＡＯ　の口筒部外周に設けたねじに螺合するねじ３が螺設されている。
上壁２の上面には、中央部には、ポンプＢの取付部材４が設けられている。
取付部材４の頂壁には、案内筒５が立設されており、内周縁には、ステム案内リング６が連設されている。
【００１２】
ポンプＢは、シリンダーＢ１とピストン部材Ｂ２とを具えており、シリンダーＢ１上端の取付部７は、取付部材４に取着されている。
【００１３】
ピストン部材Ｂ２のピストン部は、シリンダーＢ１内に内蔵されており、ポンプＢの内部構造は、ノズル部材Ｃの操作に応じて容器ＡＯ　の薬用液を吸上げ、ノズルから噴霧できるものであればよく、従来公知のものであるので説明を省略する。
【００１４】
ピストン部材Ｂ２の上端は吐出筒８となっており、吐出筒８には上端に縮径部９を設けたステム１０が嵌着されている。
【００１５】
図２に示すように、ノズル部材Ｃは、ノズルヘッド１５と、ノズルヘッド１５から垂下し、内部を中空室１６とした連結筒１７と、ノズルヘッド１５外周に連設されたノズル外装部材１８とを具えている。
ノズルヘッド１５の頂壁１９には噴出孔２０が穿孔されており、中空室１６は、その上方に頂壁１９内面と連結筒１７の内周によって形成されるヘッド内室２１を具えている。
【００１６】
中空室１６内には、ヘッド内室２１に嵌合されるヘッド内筒２２を上端部とした円筒状の嵌挿筒２３が嵌挿されており、嵌挿筒２３の内部には、ヘッド内筒２２に連通する液流路２４が穿孔されている。
【００１７】
ヘッド内筒２２には、液流路２４から径方向に延びる連通孔が穿孔されており、ヘッド内筒２２外周には、連通孔に続き、上方に延びる流通路２５が設けられている。
ヘッド内筒２２の上面には、流通路２５に連続するスピン溝２６が設けられており、スピン溝２６の上端面は、ノズルヘッド１５の頂壁１９に当接し、連通孔に連続する流通路２５、スピン溝２６によって、ヘッド内室２１の内壁面との間で噴出孔２０に至る噴出流路が形成されている。
【００１８】
ヘッド内筒２２の下端部外周には、膨出環が設けられ、連結筒１７のヘッド内室２１内周に係合するようにしており、嵌挿筒２３の下端には拡径部が形成されており、連結筒１７内周との間で一定の締め代をもって嵌合されるようになっている。
連結筒１７の下端部は嵌合部２７となっており、ステム１０の縮径部９に嵌着されるようになっている。
【００１９】
ノズル外装部材１８は、ノズルヘッド１５に続いて細長のほぼ円錐状に延び、下端部を円筒部３０としたノズル外筒３１と、下端部の円筒部３０に連設され、水平方向に延びる押圧プレート３２とからなっている。
【００２０】
スプレーノズルの組立は、取付キャップＡに装着されたポンプＢのステム１０に、ノズル部材Ｃの連結筒１７の嵌合部２７を嵌合させてノズル部材Ｃを取着し、取付キャップＡを、点鼻薬その他の薬用液を充填した容器Ａ０　にパッキンを介して螺着することによって組立てられる。
【００２１】
組立時には、取付部材４の頂壁に立設された案内筒５は、ノズル外筒３１の円筒部３０と連結筒１７との間に遊嵌され、案内筒５の上端は、少なくとも押圧プレート３２の下端位置まで延びている。
押下げ時には、ノズル部材Ｃは、円筒部３０内周が案内筒５によって案内されるようになっている。
【００２２】
次に、本発明スプレーノズルの作用効果について説明する。
スプレーノズルの使用にあたって、オーバーキャップ（図示しない）を取外し、ノズル部材Ｃのノズル外装部材１８の押圧プレート３２を押下げると、ポンプＢのピストン部材Ｂ２が押下げられ、薬用液をノズルヘッド１５の噴出孔２０より噴霧することができる。
【００２３】
次いで、押圧プレート３２から手を離すと、ポンプＢ内に弾装されたばねの付勢により、ノズル部材Ｃが上昇し、容器ＡＯ　内の薬用液が吸込みパイプを通じてポンプＢのシリンダーＢ１内に吸上げられる。
【００２４】
押圧プレート３２の押下げにあたって、斜め押しすると、ノズル部材Ｃは、ピストンの下方のシリンダーＢ１との摺動部を支点として廻動されることになるが、案内筒５上端周縁がノズル外筒３１の円筒部３０内周に接圧することによって、ノズル部材Ｃの傾斜は阻止される。
したがって、押下げ時には、押圧プレート３２が傾斜することなく上下動案内が正確に行える。
【００２５】
上記実施形態において、円筒部３０の下端３０Ａを押圧プレート３２より垂下するようにしているが、図３に示すように、押圧プレート３２からの垂下部分をなくしても同一の作用効果を得ることができる。
【００２６】
次に、第２実施形態について説明する。
本実施形態は、取付キャップの案内筒と、ノズル部材の押圧プレートの案内筒の構成を変更したもので、前記実施形態と同一の構成部分には符号に添字ａを付して図示し、くわしい説明は省略する。
【００２７】
図４において、ＡａはポンプＢａの取付キャップ、Ｃａはノズル部材である。取付キャップＡａの上壁の中央には、ポンプＢａの取付部材４ａが立設されており、該取付部材４ａ頂壁には、案内筒５ａが立設され、周辺部には、外側案内筒４０が立設されている。
ノズル外筒３１ａの下端には、連設された押圧プレート３２ａの下面に外側案内筒４０の内周に案内される案内リング４１が垂設されている。
【００２８】
スプレー使用時のノズル押下げにあたって斜め押しした場合には、案内筒５ａの上端が円筒部３０ａの内周に接するとともに、次いで、案内リング４１の下端が外側案内筒４０の内周に接してノズル部材Ｃａの傾斜を阻止することになるので、より確実に斜め押しが阻止されることになる。
【００２９】
次に、本第２実施形態における変形実施例について説明する。
実施例は、外側案内筒４０と案内リング４１の位置を変更したものである。
図５において、５０は取付キャップＡａ上壁に立設された案内筒であり、第２実施形態の外側案内筒４０より内側に位置している。
【００３０】
ノズル外筒３１ａの円筒部３０ａには、押圧プレート３２ａが連接されており、円筒部３０ａの下端は押圧プレート３２ａより垂下しないようになっている。
押圧プレート３２ａの下面には、案内筒５０の外側に案内される案内リング５１が垂設されている。
ノズルの押下げにあたっては、第２実施形態と同様の作用効果を得ることができる。
【００３１】
前記各実施形態では、ステムに縮径部を設け、連結筒の嵌合部を嵌合させるようにしたが、ステムに縮径部を設けず、連結筒の嵌合部を大径として嵌着させるようにしてもよく、その他任意の嵌着方法をとることができる。
【００３２】
また、前記各実施形態では、ノズルヘッドとステムとの連結体として、連結筒内に嵌挿筒を挿入したノズル部材を用いたが、嵌挿筒を用いないで、上端をヘッド内筒とした連結筒体をノズルヘッドに嵌着し、連結筒体の下端を嵌合部としてステムに取着するようにしてもよく、ノズルヘッドと連結体についてはとくに限定されない。
【００３３】
【発明の効果】
本発明は、上記のように構成されているから、次の効果を奏する。
ポンプ取付部材に案内筒を立設し、ノズル外筒と連結筒との間に嵌挿されるようにしたから、ノズルを斜め押ししたときに、ノズル外筒内周が案内筒外周縁に接し、ノズルの傾斜を阻止することができる。
さらに、押圧プレートの下面に案内リングを垂設し、取付キャップ上面に立設した外側案内筒と係合させるときには、ノズル傾斜を一層確実に阻止することができるようになった。
【図面の簡単な説明】
【図１】本発明第１実施形態のスプレーノズルの一部断面立面図である。
【図２】ノズルの断面立面図である。
【図３】ノズル外筒の別実施例の説明図である。
【図４】第２実施形態スプレーノズルの一部断面立面図である。
【図５】外側案内筒と案内リングの別実施例である。
【符号の説明】
Ａ、Ａａ　　　取付キャップ
ＡＯ　　　　　　容器
Ｂ、Ｂａ　　　ポンプ
Ｂ１　　　　　シリンダー
Ｂ２　　　　　ピストン部材
Ｃ、Ｃａ　　　ノズル部材
１　　　　　　側周壁
２　　　　　　上壁
３　　　　　　ねじ
４、４ａ　　　取付部材
５、５ａ　　　案内筒
６　　　　　　ステム案内リング
７　　　　　　取付部
８　　　　　　吐出筒
９　　　　　　縮径部
１０、１０ａ　ステム
１５、１５ａ　ノズルヘッド
１６　　　　　中空室
１７　　　　　連結筒
１８　　　　　ノズル外装部材
１９　　　　　頂壁
２０　　　　　噴出孔
２１　　　　　ヘッド内室
２２　　　　　ヘッド内筒
２３　　　　　嵌挿筒
２４　　　　　液流路
２５　　　　　流通路
２６　　　　　スピン溝
２７　　　　　嵌合部
３０、３０ａ　円筒部
３０Ａ　　　　下端
３１、３１ａ　ノズル外筒
３２、３２ａ　押圧プレート
４０、４０ａ　外側案内筒
４１　　　　　案内リング
５０　　　　　案内筒
５１　　　　　案内リング
【図１】
2004041899.tif 000003
【図２】
2004041899.tif 000004
【図３】
2004041899.tif 000005
【図４】
2004041899.tif 000006
【図５】
2004041899.tif 000007